(57)【要約】本発明は、目ベースの生体認証のための技術に関する。本発明は、取得される生体情報の特性に基づいて動作を開始するための方法、装置及びコンピュータプログラムを提供する。一実施形態において、本発明は、（ｉ）目の少なくとも一部の画像を含でいる少なくとも１つの画像を受信するステップと、（ｉｉ）目の少なくとも一部が複屈折特性を有しているかどうかを判定するステップと、（ｉｉｉ）（ａ）目の少なくとも一部が既定の複屈折特性の集合と一致しない複屈折特性を示していること又は（ｂ）本物の目に特有の複屈折特性の欠如と判定されることに応答して、既定の動作を開始するステップとを含み、既定の動作が、生体登録を拒否すること、生体認証を拒否すること、リソースへのアクセスを拒否すること、リソースのロック解除の要求を拒否すること、又はなりすましを特定する情報を送信若しくは記録することのうちのいずれか１つ又は複数を含む。【選択図】  図２
2019505869.tif 000002
【特許請求の範囲】
【請求項１】
取得される生体情報の特性に基づいてシステム応答を選択するための方法であって、
目の少なくとも一部の画像を含んでいる少なくとも１つの画像を受信するステップと、
目の前記少なくとも一部が複屈折特性を有しているかどうかを判定するステップと、
システム応答を選択するステップであり、前記選択が、（ｉ）目の前記少なくとも一部が既定の複屈折特性の集合と一致しない複屈折特性を示しているかどうか又は（ｉｉ）任意の目の前記少なくとも一部が本物の目に特有の複屈折特性を欠如していることを示しているかどうかに依存している、ステップと、
を含む、方法。
【請求項２】
取得される生体情報の特性に基づいて動作を開始するための方法であって、
目の少なくとも一部の画像を含んでいる少なくとも１つの画像を受信するステップと、
目の前記少なくとも一部が複屈折特性を有しているかどうかを判定するステップと、
既定の動作を開始するステップであり、（ｉ）目の前記少なくとも一部が既定の複屈折特性の集合と一致しない複屈折特性を示していること又は（ｉｉ）本物の目に特有の複屈折特性の欠如と判定されることに応答して、既定の動作を開始するステップと、
を含む、方法。
【請求項３】
前記既定の動作が、生体登録を拒否すること、生体認証を拒否すること、リソースへのアクセスを拒否すること、リソースのロック解除の要求を拒否すること、又はなりすましを特定する情報を送信すること若しくは記録すること、のうちのいずれか１つ又は複数を含む、請求項２に記載の方法。
【請求項４】
前記既定の動作が、移動通信装置若しくは自動車、又は、その任意のハードウェア部品若しくはソフトウェアモジュールへのアクセスを拒否することを含む、請求項２に記載の方法。
【請求項５】
前記少なくとも１つの目画像が、目の前記少なくとも一部に偏光を向けるように構成されている照明源から発せられる偏光に基づいてイメージセンサによって取得される、請求項１又は２に記載の方法。
【請求項６】
前記少なくとも１つの目画像が、入射光の偏光特性に対する選択性を示す画素を備えるイメージセンサによって取得される、請求項１又は２に記載の方法。
【請求項７】
生体比較演算で使用するための、被写体と関連した生体参照情報を得るための方法であって、
目の少なくとも一部に対応する第１の画像情報の集合（ＴＮ）を取得するステップであって、該第１の画像情報の集合は、本物の角膜での複屈折から生じるアーチファクトに対応する画像情報を除く、ステップと、
目の少なくとも一部に対応する第２の画像情報の集合（ＴＰ）を取得するステップであって、該第２の画像情報の集合は、本物の角膜での複屈折から生じるアーチファクトに対応する画像情報を含んでいる、ステップと、
前記第１及び第２の画像情報の集合（ＴＮ、ＴＰ）を目の前記少なくとも一部が対応する被写体と関連付けるステップと、
を含む、方法。
【請求項８】
前記第１の画像情報の集合（ＴＮ）及び前記第２の画像情報の集合（ＴＰ）が、同じ画像から導出される、請求項７に記載の方法。
【請求項９】
前記第１の画像情報の集合（ＴＮ）及び前記第２の画像情報の集合（ＴＰ）が、画像処理によって同じ画像から導出される、請求項７に記載の方法。
【請求項１０】
前記第１及び第２の生体情報の集合（ＴＮ、ＴＰ）のうちの一方又は両方が、生体比較のために使用される、請求項７に記載の方法。
【請求項１１】
生体の認証又は識別のための方法であって、
検索するステップであり、
（ｉ）目の少なくとも一部に対応する第１の画像情報の集合（ＴＮ）であって、本物の角膜での複屈折から生じるアーチファクトに対応する画像情報を除く第１の画像情報の集合、および
（ｉｉ）目の前記少なくとも一部に対応する第２の画像情報の集合（ＴＰ）であって、本物の角膜での複屈折から生じるアーチファクトに対応する画像情報を含んでいる第２の画像情報の集合
のうちの少なくとも一方を検索するステップと、
目の少なくとも一部に対応する第３の画像情報の集合（ＦＮ）を取得するステップであって、該第３の画像情報の集合は、本物の角膜での複屈折から生じるアーチファクトに対応する画像情報を除く、ステップと、
目の少なくとも一部に対応する第４の画像情報の集合（ＦＰ）を取得するステップであって、該第４の画像情報の集合は、本物の角膜での複屈折から生じるアーチファクトに対応する画像情報を含んでいる、ステップと、
身元判定又は認証判定のうちの少なくとも一方を生成するステップであって、
以下の画像情報の集合の対、
（ｉ）前記第１の画像情報の集合（ＴＮ）及び前記第３の画像情報の集合（ＦＮ）を含む第１の画像情報対（ＴＮ、ＦＮ）、
（ｉｉ）前記第１の画像情報の集合（ＴＮ）及び前記第４の画像情報の集合（ＦＰ）を含む第２の画像情報対（ＴＮ、ＦＰ）、
（ｉｉｉ）前記第２の画像情報の集合（ＴＰ）及び前記第３の画像情報の集合（ＦＮ）を含む第３の画像情報対（ＴＰ、ＦＮ）、
（ｉｖ）前記第２の画像情報の集合（ＴＰ）及び前記第４の画像情報の集合（ＦＰ）を含む第４の画像情報対（ＴＰ、ＦＰ）、
（ｖ）前記第１の画像情報の集合（ＴＮ）及び前記第２の画像情報の集合（ＴＰ）を含む第５の画像情報対（ＴＮ、ＴＰ）、並びに
（ｖｉ）前記第３の画像情報の集合（ＦＮ）及び前記第４の画像情報の集合（ＦＰ）を含む第６の画像情報対（ＦＮ、ＦＰ）
のうちの少なくとも２つ内の画像情報の集合間の対内比較に基づいて、身元判定又は認証判定のうちの少なくとも一方を生成するステップと、
を含む、方法。
【請求項１２】
前記生成された身元判定又は認証判定が、
前記第１の画像情報対（ＴＮ、ＦＮ）に対応する対内類似性を表す類似性スコア（Ａ）を求めることと、
前記第３の画像情報対（ＴＰ、ＦＮ）に対応する対内類似性を表す類似性スコア（Ｂ）を求めることと、
第２の画像情報対（ＴＮ、ＦＰ）に対応する対内類似性を表す類似性スコア（Ｃ）を求めることと
のうちの１つ又は複数に基づいている、請求項１１に記載の方法。
【請求項１３】
類似性スコア（Ｃ）が所定の閾値スコアを上回っていることと、
以下の条件、
（ｉ）Ａ＞Ｔと、
（ｉｉ）（Ｃ＋Ｄ）＜Ｅ、式中ＥがＡ及びＢの中の最小値に対応することと
のうちの１つ又は複数の非発生であり、且つ、Ｔ及びＤがそれぞれ既定の閾値から成っている、ことと
のうちのいずれか１つ又は複数に応答して、（ｉ）認証要求を拒絶するステップ又は（ｉｉ）認証に失敗するステップ
をさらに含む、請求項１２に記載の方法。
【請求項１４】
（ｉ）Ｄ≧０、又は（ｉｉ）Ｔ≧０である、請求項１３に記載の方法。
【請求項１５】
生体認証のための装置であって、
イメージセンサを備える撮像装置と、
プロセッサであり、該プロセッサは、
目の少なくとも一部の画像を含んでいる少なくとも１つの画像を受信するステップ、
目の前記少なくとも一部が複屈折特性を有しているかどうかを判定するステップ、および、
既定の動作を開始するステップであり、（ｉ）目の前記少なくとも一部が既定の複屈折特性の集合と一致しない複屈折特性を示していること又は（ｉｉ）本物の目に特有の複屈折特性の欠如と判定されることに応答して、既定の動作を開始するステップ
のために構成されており、
前記既定の動作が、生体登録を拒否すること、生体認証を拒否すること、リソースへのアクセスを拒否すること、リソースのロック解除の要求を拒否すること、又はなりすましを特定する情報を送信すること若しくは記録すること、のうちのいずれか１つ又は複数を含む、
プロセッサと、
を備える、装置。
【請求項１６】
目の前記少なくとも一部に偏光を向けるように構成されている照明源をさらに備える、請求項１５に記載の装置。
【請求項１７】
前記イメージセンサが、入射光の偏光特性に対する選択性を有する画素を備えている、請求項１５に記載の装置。
【請求項１８】
前記撮像装置に対応する被写界深度領域及び視野領域の交点と（ｉ）前記照明源又は（ｉｉ）前記イメージセンサとの間に介在される少なくとも１つの偏光フィルタをさらに備える、請求項１５に記載の装置。
【請求項１９】
生体比較演算で使用するための、被写体と関連した生体参照情報を得るための装置であって、
イメージセンサを備える撮像装置と、
プロセッサであり、
目の少なくとも一部に対応する第１の画像情報の集合（ＴＮ）を取得するステップであって、該第１の画像情報の集合は、本物の角膜での複屈折から生じるアーチファクトに対応する画像情報を除く、ステップ、
目の少なくとも一部に対応する第２の画像情報の集合（ＴＰ）を取得するステップであって、該第２の画像情報の集合は、本物の角膜での複屈折から生じるアーチファクトに対応する画像情報を含んでいる、ステップ、および
前記第１及び第２の画像情報の集合（ＴＮ、ＴＰ）を目の前記少なくとも一部が対応する被写体と関連付けるステップ
のために構成されているプロセッサと、
を備える、装置。
【請求項２０】
生体の認証又は識別のための装置であって、
イメージセンサを備える撮像装置と、
プロセッサであり、
検索するステップであって、
（ｉ）目の少なくとも一部に対応する第１の画像情報の集合（ＴＮ）であって、本物の角膜での複屈折から生じるアーチファクトに対応する画像情報を除く第１の画像情報の集合、および
（ｉｉ）目の前記少なくとも一部に対応する第２の画像情報の集合（ＴＰ）であって、本物の角膜での複屈折から生じるアーチファクトに対応する画像情報を含んでいる第２の画像情報の集合
のうちの少なくとも一方を検索するステップ、
目の少なくとも一部に対応する第３の画像情報の集合（ＦＮ）を取得するステップであって、該第３の画像情報の集合は、本物の角膜での複屈折から生じるアーチファクトに対応する画像情報を除く、ステップ、
目の少なくとも一部に対応する第４の画像情報の集合（ＦＰ）を取得するステップであって、該第４の画像情報の集合は、本物の角膜での複屈折から生じるアーチファクトに対応する画像情報を含んでいる、ステップ、および、
身元判定又は認証判定のうちの少なくとも一方を生成するステップであって、
以下の画像情報の集合の対、
（ｉ）前記第１の画像情報の集合（ＴＮ）及び前記第３の画像情報の集合（ＦＮ）を含む第１の画像情報対（ＴＮ、ＦＮ）、
（ｉｉ）前記第１の画像情報の集合（ＴＮ）及び前記第４の画像情報の集合（ＦＰ）を含む第２の画像情報対（ＴＮ、ＦＰ）、
（ｉｉｉ）前記第２の画像情報の集合（ＴＰ）及び前記第３の画像情報の集合（ＦＮ）を含む第３の画像情報対（ＴＰ、ＦＮ）、
（ｉｖ）前記第２の画像情報の集合（ＴＰ）及び前記第４の画像情報の集合（ＦＰ）を含む第４の画像情報対（ＴＰ、ＦＰ）、
（ｖ）前記第１の画像情報の集合（ＴＮ）及び前記第２の画像情報の集合（ＴＰ）を含む第５の画像情報対（ＴＮ、ＴＰ）、並びに
（ｖｉ）前記第３の画像情報の集合（ＦＮ）及び前記第４の画像情報の集合（ＦＰ）を含む第６の画像情報対（ＦＮ、ＦＰ）
のうちの少なくとも２つ内の画像情報の集合間の対内比較に基づいて、身元判定又は認証判定のうちの少なくとも一方を生成するステップ
のために構成されているプロセッサと、
を備える、装置。
【請求項２１】
非一時的コンピュータ使用可能媒体を含む、生体登録又は生体認識のためのコンピュータプログラム製品であって、前記非一時的コンピュータ使用可能媒体は、その中に具象化されたコンピュータ可読プログラムコードを含み、前記コンピュータ可読プログラムコードは、
目の少なくとも一部の画像を含んでいる少なくとも１つの画像を受信するステップ、
目の前記少なくとも一部が複屈折特性を有しているかどうかを判定するステップ、
プロセスフローを選択するステップであって、前記選択が、（ｉ）目の前記少なくとも一部が既定の複屈折特性の集合と一致しない複屈折特性を示しているかどうか又は（ｉｉ）任意の目の前記少なくとも一部が本物の目に特有の複屈折特性を欠如していることを示しているかどうかに依存している、ステップ
のための命令を含んでいる、コンピュータプログラム製品。
【請求項２２】
非一時的コンピュータ使用可能媒体を備える、生体登録又は生体認識のためのコンピュータプログラム製品であって、前記非一時的コンピュータ使用可能媒体は、その中に具象化されたコンピュータ可読プログラムコードを含み、前記コンピュータ可読プログラムが、
目の少なくとも一部の画像を含んでいる少なくとも１つの画像を受信するステップ、
目の前記少なくとも一部が複屈折特性を有しているかどうかを判定するステップ、および、
既定の動作を開始するステップであり、（ｉ）目の前記少なくとも一部が既定の複屈折特性の集合と一致しない複屈折特性を示していること又は（ｉｉ）本物の目に特有の複屈折特性の欠如と判定されることに応答して、既定の動作を開始するステップ
のための命令を含んでいる、コンピュータプログラム製品。
【請求項２３】
前記少なくとも１つの目画像が、目の前記少なくとも一部に偏光を向けるように構成されている照明源から発せられる偏光に基づいてイメージセンサによって取得される、請求項２に記載の方法。
【請求項２４】
前記少なくとも１つの目画像が、入射光の偏光特性に対する選択性を示す画素を備えるイメージセンサによって取得される、請求項２に記載の方法。
【発明の詳細な説明】
【関連出願の相互参照】
【０００１】
本出願は、２０１５年１２月７日出願の米国特許仮出願第６２／２６４，０１６号に対する優先権を主張し、その内容が引用によって本明細書に援用される。
【発明の分野】
【０００２】
本発明は、目ベースの生体認証のための技術に関する。
【背景】
【０００３】
被写体の目から（例えば、被写体の虹彩又は網膜から）抽出される生体情報が、被写体を識別又は認証するために使用されてもよい。一般的にはバイオメトリックシステム、特に目ベースのシステムは、主体が生きた被写体以外の何かを生体センサに提示することによってバイオメトリックシステムを回避しようと又は欺こうと試みる、なりすましに脆弱である。目を基にしたバイオメトリックシステムの場合、なりすましの試みは、誤一致を発生させて不正アクセスを得ようとして、バイオメトリックシステムに登録済みの被写体の目の写真又は画像を提示することを含んでいる場合がある。
【０００４】
目ベースのバイオメトリックシステムが認証目的で撮像システムに提示されることになる本物の（又は生きた）目となりすましの（又は偽物の）目との間で区別することを可能にする技術の必要性がある。
【概要】
【０００５】
本発明は、取得される生体情報の特性に基づいてシステム応答を選択するための方法であって、
（ｉ）目の少なくとも一部の画像を含んでいる少なくとも１つの画像を受信するステップと、
（ｉｉ）目の少なくとも一部が複屈折特性を有しているかどうかを判定するステップと、
（ｉｉｉ）システム応答を選択するステップであり、上記選択が、（ａ）目の少なくとも一部が既定の複屈折特性の集合と一致しない複屈折特性を示しているかどうか又は（ｂ）任意の目の少なくとも一部が本物の目に特有の複屈折特性を欠如していることを示しているかどうかに依存している、ステップと、
を含む、方法を提供する。
【０００６】
本発明は、取得される生体情報の特性に基づいて動作を開始するための方法も含む。一実施形態において、本発明は、
（ｉ）目の少なくとも一部の画像を含んでいる少なくとも１つの画像を受信するステップと、
（ｉｉ）目の少なくとも一部が複屈折特性を有しているかどうかを判定するステップと、
（ｉｉｉ）既定の動作を開始するステップであり、（ａ）目の少なくとも一部が既定の複屈折特性の集合と一致しない複屈折特性を示していること又は（ｂ）本物の目に特有の複屈折特性の欠如と判定されることに応答して、既定の動作を開始するステップと、
を含む。既定の動作は、生体登録を拒否すること、生体認証を拒否（若しくは拒絶若しくは失敗）すること、リソースへのアクセスを拒否（若しくは拒絶若しくは失敗）すること、リソースのロック解除の要求を拒否（若しくは拒絶若しくは失敗）すること、又はなりすましを特定する情報を送信すること若しくは記録することのうちのいずれか１つ又は複数を含んでもよい。
【０００７】
一実施形態において、既定の動作は、移動通信装置若しくは自動車への、又は、任意のハードウェア部品若しくはソフトウェアモジュールへのアクセスを拒否することを含む。
【０００８】
特定の実施形態において、少なくとも１つの目画像は、目の少なくとも一部に偏光を向けるように構成されている照明源から発せられる偏光に基づいてイメージセンサによって取得される。
【０００９】
別の実施形態において、少なくとも１つの目画像は、入射光の偏光特性に対する選択性を示す画素を備えるイメージセンサによって取得される。
【００１０】
本発明は、生体比較演算で使用するための又は生体登録のための、被写体と関連した生体参照情報を得るための方法を付加的に含む。一実施形態において、本方法は、
（ｉ）目の少なくとも一部に対応する第１の画像情報の集合（ＴＮ）を取得するステップであって、該第１の画像情報の集合は、本物の角膜での複屈折から生じるアーチファクトに対応する画像情報を除く、ステップと、
（ｉｉ）目の少なくとも一部に対応する第２の画像情報の集合（ＴＰ）を取得するステップであって、該第２の画像情報の集合は、本物の角膜での複屈折から生じるアーチファクトに対応する画像情報を含んでいる、ステップと、
（ｉｉｉ）上記第１及び第２の画像情報の集合（ＴＮ、ＴＰ）を目の少なくとも一部が対応する被写体と関連付けるステップと、
を含む。
【００１１】
実施形態において、第１の画像情報の集合（ＴＮ）及び第２の画像情報の集合（ＴＰ）は、同じ画像から導出される。具体的な実施形態において、第１の画像情報の集合（ＴＮ）及び第２の画像情報の集合（ＴＰ）は、画像処理によって同じ画像から導出される。
【００１２】
一実施形態において、第１及び第２の生体情報の集合（ＴＮ、ＴＰ）のうちの一方又は両方は、生体比較のために使用される。
【００１３】
本発明は、生体認証のための方法も含む。一実施形態において、本方法は、
検索するステップであり、
（ｉ）目の少なくとも一部に対応する第１の画像情報の集合（ＴＮ）であって、本物の角膜での複屈折から生じるアーチファクトに対応する画像情報を除く第１の画像情報の集合、および
（ｉｉ）目の少なくとも一部に対応する第２の画像情報の集合（ＴＰ）であって、本物の角膜での複屈折から生じるアーチファクトに対応する画像情報を含んでいる第２の画像情報の集合
のうちの少なくとも一方を検索するステップと、
（ｉｉｉ）目の少なくとも一部に対応する第３の画像情報の集合（ＦＮ）を取得するステップであって、該第３の画像情報の集合は、本物の角膜での複屈折から生じるアーチファクトに対応する画像情報を除く、ステップと、
（ｉｖ）目の少なくとも一部に対応する第４の画像情報の集合（ＦＰ）を取得するステップであって、該第４の画像情報の集合は、本物の角膜での複屈折から生じるアーチファクトに対応する画像情報を含んでいる、ステップと、
（ｖ）身元判定又は認証判定のうちの少なくとも一方を生成するステップであって、
以下の画像情報の集合の対、
（ａ）第１の画像情報の集合（ＴＮ）及び第３の画像情報の集合（ＦＮ）を含む第１の画像情報対（ＴＮ、ＦＮ）、
（ｂ）第１の画像情報の集合（ＴＮ）及び第４の画像情報の集合（ＦＰ）を含む第２の画像情報対（ＴＮ、ＦＰ）、
（ｃ）第２の画像情報の集合（ＴＰ）及び第３の画像情報の集合（ＦＮ）を含む第３の画像情報対（ＴＰ、ＦＮ）、
（ｄ）第２の画像情報の集合（ＴＰ）及び第４の画像情報の集合（ＦＰ）を含む第４の画像情報対（ＴＰ、ＦＰ）、
（ｅ）第１の画像情報の集合（ＴＮ）及び第２の画像情報の集合（ＴＰ）を含む第５の画像情報対（ＴＮ、ＴＰ）、並びに
（ｆ）第３の画像情報の集合（ＦＮ）及び第４の画像情報の集合（ＦＰ）を含む第６の画像情報対（ＦＮ、ＦＰ）
のうちの少なくとも２つ内の画像情報の集合間の対内比較に基づいて、身元判定又は認証判定のうちの少なくとも一方を生成するステップと、
を含む。
【００１４】
一実施形態において、生成された身元判定又は認証判定は、
（ｉ）第１の画像情報対（ＴＮ、ＦＮ）に対応する対内類似性を表す類似性スコア（Ａ）を求めることと、
（ｉｉ）第３の画像情報対（ＴＰ、ＦＮ）に対応する対内類似性を表す類似性スコア（Ｂ）を求めることと、
（ｉｉｉ）第２の画像情報対（ＴＮ、ＦＰ）に対応する対内類似性を表す類似性スコア（Ｃ）を求めることと
のうちの１つ又は複数に基づいている。
【００１５】
別の実施形態において、本発明は、
（ｉ）類似性スコア（Ｃ）が所定の閾値スコアを上回っていることと、
（ｉｉ）以下の条件、
（ａ）Ａ＞Ｔと、
（ｂ）（Ｃ＋Ｄ）＜Ｅ、式中ＥがＡ及びＢの中の最小値に対応することと、（ｃ）Ｔ及びＤがそれぞれ既定の閾値から成っていることと
のうちの１つ又は複数の非発生とのうちのいずれか１つ又は複数に応答して、認証要求を拒絶するステップを含む。
【００１６】
より特定の実施形態において、（ｉ）Ｄ≧０及び／又は（ｉｉ）Ｔ≧０である。
【００１７】
本発明は、生体認証のための装置を付加的に含む。本装置は、イメージセンサを備える撮像装置とプロセッサとを含む。
【００１８】
一実施形態において、プロセッサは、
（ｉ）目の少なくとも一部の画像を含んでいる少なくとも１つの画像を受信するステップ、
（ｉｉ）目の少なくとも一部が複屈折特性を有しているかどうかを判定するステップ、および
（ｉｉｉ）既定の動作を開始するステップであり、（ａ）目の少なくとも一部が既定の複屈折特性の集合と一致しない複屈折特性を示していること又は（ｂ）本物の目に特有の複屈折特性の欠如と判定されることに応答して、既定の動作を開始するステップ
のために構成されており、
既定の動作が、生体登録を拒否（若しくは拒絶若しくは失敗）すること、生体認証を拒否（若しくは拒絶若しくは失敗）すること、リソースへのアクセスを拒否（若しくは拒絶若しくは失敗）すること、リソースのロック解除の要求を拒否（若しくは拒絶若しくは失敗）すること、又はなりすましを特定する情報を送信すること若しくは記録することのうちのいずれか１つ又は複数を含む。
【００１９】
一実施形態において、照明源が、目の少なくとも一部に偏光を向けるように構成されている。
【００２０】
別の実施形態において、イメージセンサは、入射光の偏光特性に対する選択性を有する画素を備えている。
【００２１】
本装置は、撮像装置に対応する被写界深度領域及び視野領域の交点と（ｉ）照明源又は（ｉｉ）イメージセンサとの間に介在される少なくとも１つの偏光フィルタを備えてもよい。
【００２２】
本発明は、生体比較演算で使用するための、被写体と関連した生体参照情報を得るための装置も備える。本装置は、イメージセンサを備える撮像装置とプロセッサとを含む。一実施形態において、プロセッサは、
（ｉ）目の少なくとも一部に対応する第１の画像情報の集合（ＴＮ）を取得するステップであって、該第１の画像情報の集合は、本物の角膜での複屈折から生じるアーチファクトに対応する画像情報を除く、ステップ、
（ｉｉ）目の少なくとも一部に対応する第２の画像情報の集合（ＴＰ）を取得するステップであって、該第２の画像情報の集合は、本物の角膜での複屈折から生じるアーチファクトに対応する画像情報を含んでいる、ステップ、および
（ｉｉｉ）上記第１及び第２の画像情報の集合（ＴＮ、ＴＰ）を目の少なくとも一部が対応する被写体と関連付けるステップ
のために構成されている。
【００２３】
本発明は、生体の認証又は識別のための装置をさらに備える。本装置は、イメージセンサを備える撮像装置とプロセッサとを含む。一実施形態において、プロセッサは、
検索するステップであり、
（ｉ）目の少なくとも一部に対応する第１の画像情報の集合（ＴＮ）であって、本物の角膜での複屈折から生じるアーチファクトに対応する画像情報を除く第１の画像情報の集合、および
（ｉｉ）目の少なくとも一部に対応する第２の画像情報の集合（ＴＰ）であって、本物の角膜での複屈折から生じるアーチファクトに対応する画像情報を含んでいる第２の画像情報の集合
のうちの少なくとも一方を検索するステップ、
（ｉｉｉ）目の少なくとも一部に対応する第３の画像情報の集合（ＦＮ）を取得するステップであって、該第３の画像情報の集合は、本物の角膜での複屈折から生じるアーチファクトに対応する画像情報を除く、ステップ、
（ｉｖ）目の少なくとも一部に対応する第４の画像情報の集合（ＦＰ）を取得するステップであって、該第４の画像情報の集合は、本物の角膜での複屈折から生じるアーチファクトに対応する画像情報を含んでいる、ステップ、及び
（ｖ）身元判定又は認証判定のうちの少なくとも一方を生成するステップであって、
以下の画像情報の集合の対、
（ａ）第１の画像情報の集合（ＴＮ）及び第３の画像情報の集合（ＦＮ）を含む第１の画像情報対（ＴＮ、ＦＮ）、
（ｂ）第１の画像情報の集合（ＴＮ）及び第４の画像情報の集合（ＦＰ）を含む第２の画像情報対（ＴＮ、ＦＰ）、
（ｃ）第２の画像情報の集合（ＴＰ）及び第３の画像情報の集合（ＦＮ）を含む第３の画像情報対（ＴＰ、ＦＮ）、
（ｄ）第２の画像情報の集合（ＴＰ）及び第４の画像情報の集合（ＦＰ）を含む第４の画像情報対（ＴＰ、ＦＰ）、
（ｅ）第１の画像情報の集合（ＴＮ）及び第２の画像情報の集合（ＴＰ）を含む第５の画像情報対（ＴＮ、ＴＰ）、並びに
（ｆ）第３の画像情報の集合（ＦＮ）及び第４の画像情報の集合（ＦＰ）を含む第６の画像情報対（ＦＮ、ＦＰ）
のうちの少なくとも２つ内の画像情報の集合間の対内比較に基づいて、身元判定又は認証判定のうちの少なくとも一方を生成するステップ
のために構成されている。
【００２４】
本発明は、非一時的コンピュータ使用可能媒体を含む、生体登録又は生体認証のためのコンピュータプログラム製品であって、非一時的コンピュータ使用可能媒体は、その中に具象化されたコンピュータ可読プログラムコードを含み、コンピュータ可読プログラムコードは、
（ｉ）目の少なくとも一部の画像を含んでいる少なくとも１つの画像を受信するステップ、
（ｉｉ）目の少なくとも一部が複屈折特性を有しているかどうかを判定するステップ、
（ｉｉｉ）プロセスフローを選択するステップであって、上記選択が、（ａ）目の少なくとも一部が既定の複屈折特性の集合と一致しない複屈折特性を示しているかどうか又は（ｂ）任意の目の少なくとも一部が本物の目に特有の複屈折特性を欠如していることを示しているかどうかに依存している、ステップ
のための命令を含んでいる、コンピュータプログラム製品を含む。
【００２５】
本発明は、非一時的コンピュータ使用可能媒体を備える、生体登録又は生体認証のためのコンピュータプログラム製品であって、非一時的コンピュータ使用可能媒体は、その中に具象化されたコンピュータ可読プログラムコードを含み、コンピュータ可読プログラムコードが、
（ｉ）目の少なくとも一部の画像を含んでいる少なくとも１つの画像を受信するステップ、
（ｉｉ）目の少なくとも一部が複屈折特性を有しているかどうかを判定するステップ、および
（ｉｉｉ）既定の動作を開始するステップであり、（ａ）目の少なくとも一部が既定の複屈折特性の集合と一致しない複屈折特性を示していること又は（ｂ）本物の目に特有の複屈折特性の欠如と判定されることに応答して、既定の動作を開始するステップ、
のための命令を含み、
既定の動作が、生体登録を拒否すること、生体認証を拒否すること、リソースへのアクセスを拒否すること、リソースのロック解除の要求を拒否すること、又はなりすましを特定する情報を送信すること若しくは記録することのうちのいずれか１つ又は複数のための命令の実行を含む、コンピュータプログラム製品も備える。
【図面の簡単な説明】
【００２６】
【図１Ａ】従来の目ベースの生体認証装置の実施形態を例示する。
【図１Ｂ】従来の目ベースの生体認証装置の実施形態を例示する。
【００２７】
【図２】本発明に従う装置及び方法の実施形態を例示する。
【図３】本発明に従う装置及び方法の実施形態を例示する。
【図４】本発明に従う装置及び方法の実施形態を例示する。
【図５】本発明に従う装置及び方法の実施形態を例示する。
【図６】本発明に従う装置及び方法の実施形態を例示する。
【図７】本発明に従う装置及び方法の実施形態を例示する。
【００２８】
【図８】本発明に従う方法実施形態を例示する。
【図９Ａ】本発明に従う方法実施形態を例示する。
【図９Ｂ】本発明に従う方法実施形態を例示する。
【図９Ｃ】本発明に従う方法実施形態を例示する。
【００２９】
【図１０】本発明に従う様々な実施形態の実装のためのシステムを例示する。
【発明の詳細な説明】
【００３０】
本発明は、目ベースのバイオメトリックシステムが生体認証のために提示される目が本物か偽物かを判定することを可能にする。
【００３１】
複屈折は、入射光の偏光及び／又は伝搬方向に依存する屈折率を有する物質の光学的性質である。そのような物質は複屈折又は重屈折である。人間の目（特に角膜）内の組織が複屈折であることが発見されている。
【００３２】
図１Ａは、取得される画像から生体情報を抽出し、そして任意選択で生体認証の目的でそのような情報を分析するための画像処理装置１０４と結合される、被写体の目の画像を取得するための撮像装置１０２を備える従来の目ベースのバイオメトリックシステム１００を例示する。
【００３３】
図１Ｂは、照明器ＩＬ及び撮像カメラＩＣを備え、それぞれ、画像取得のために照明器ＩＬからの照明光が被写体の目Ｅから撮像カメラＩＣへ散乱されるように構成されている、図１Ａにより全体的に例示した種類の従来の撮像装置を例示する。一定の実施形態において、照明器ＩＬは、７００ｎｍと１０００ｎｍとの間の範囲の近赤外波長を発する。
【００３４】
本発明は、目の１つ又は複数の画像を取得し、そして１つ又は複数の画像内の情報を分析して、撮像された物体によって示される複屈折の発生又は証拠を検出することを含む。複屈折が検出される及び／又は検出した複屈折が本物の目によって示される複屈折に特徴的である場合、システムは、生体認証の目的で本物の目が提示されたと結論してもよい。複屈折が検出されない、又は検出した複屈折が本物の目によって示される複屈折に特徴的でない場合、システムは、生体認証のために偽物の目が提示されたと結論してもよい。一実施形態において、システムは、複屈折の大きさを反映するスコアを生成してもよく、そして１つ又は複数の既定の判定基準を適用して、生体認証のために提示された目が本物か偽物かを判定してもよい。
【００３５】
本発明の一実施形態において、図１Ａの画像処理装置は、撮像カメラＩＣで得た目画像を分析して、取得した目画像が複屈折（特に角膜での複屈折）の証拠を示しているかどうか及び／又は検出した複屈折が本物の目によって示される複屈折に特徴的であるかどうかを判定するように構成されていてもよい。この判定に基づいて、本発明は、撮像のために提示された目が本物か偽物かに関する結論に達する。
【００３６】
本発明の一実施形態において、（ｉ）図１Ｂにおける照明器ＩＬが偏光されており（又は選択的に作動されて偏光波長を発することができ）、そしてカメラＩＣが入射光の偏光特性に従って異なる応答を示す画素を有している（又は画素応答が入射光の偏光特性に従って異なるようなモードで作動されることができる）場合、且つ（ｉｉ）偏光光源ＩＬの作動及び撮像カメラＩＣの偏光の同時作動に応答して取得される目又は虹彩の画像に特定の（又は既定の）種類の虹彩パターン（複数可）又は虹彩テクスチャが観察される場合、本発明は、撮像された目が本物の目であるという結論を有効にする。他方で、予期される種類の虹彩パターン（複数可）又は虹彩テクスチャが以上の条件下で観察されなければ、本発明は、撮像された目が偽物の目であるという結論を有効にする。
【００３７】
図２は、特定の実施形態において複屈折の検出又は証拠に基づいてもよいなりすまし検出のために構成されている撮像装置の第１の実施形態を例示する。例示した実施形態において、撮像装置は、第１の照明器ＩＬ１．２及び第２の照明器ＩＬ２．２を備える。一実施形態において、撮像装置は、第２の照明器ＩＬ２．２と意図される画像取込領域（例えば撮像カメラＩＣに対応する視野及び被写界深度の交点）との間の光路に介在される第１の偏光フィルタＰＦ１．２を有してもよい。撮像装置は、撮像カメラＩＣと意図された画像取込領域との間の光路に介在される第２の偏光フィルタＰＦ２．２を追加的に有してもよい。第１及び第２の偏光フィルタＰＦ１．２及びＰＦ２．２は、第２の照明器ＩＬ２．２から発せられ、そして被写体の目Ｅから撮像カメラＩＣへ散乱される光が第１及び第２の偏光フィルタＰＦ１．２及びＰＦ２．２の両方を通過するように位置決めされてもよい。
【００３８】
第１及び第２の偏光フィルタＰＦ１．２及びＰＦ２．２は直線偏光子を備えてもよく、そして第１の偏光フィルタの偏光角及び第２の偏光フィルタの偏光角は同一でもよい。別の実施形態において、第１及び第２の偏光ｆΩフィルタは直線偏光子を備えてもよく、そして第１の偏光フィルタの偏光角及び第２の偏光フィルタの偏光角は互いに対して直角でもよい。
【００３９】
第２の照明器ＩＬ２．２及び第１の偏光フィルタＰＦ１．２が（例えば、レーザ光源、レーザダイオード又は任意の他の偏光光源で）偏光を発するように構成されている単一の光源に組み合わされてもよいと理解されるであろう。同様に、例えば照明効率及び／又はカメラ感度を向上させるために、第２の偏光フィルタＰＦ２．２が選択的に介在（若しくは作動）又は除去（若しくは作動停止）されてもよいと理解されるであろう。偏光フィルタＰＦ１．２及び／又はＰＦ２．２は、機械的、電子的又は磁気的な介在／除去又は作動／作動停止のために構成されていてもよい。
【００４０】
第１及び第２の照明器ＩＬ１．２及びＩＬ２．２が、第１及び第２の照明器の各々からの照明が（ｉ）撮像カメラの画像取込領域内の物体への同一の入射角か（ｉｉ）画像取込領域内の物体への異なる入射角かを有するようにも位置決めされてもよいと理解されるであろう。
【００４１】
図２に例示した装置を動作させる際に、本発明は、第１の照明器ＩＬ１．２からの照明下で被写体の目の第１の画像を取得してもよく、その後に第２の照明器ＩＬ２．２からの照明下で被写体の目の第２の画像を取得してもよい。第１及び第２の画像は、その後に複屈折の証拠を求めて分析されてもよい。
【００４２】
図３は、図２の装置に本物の目及びなりすましの目がそれぞれ提示されたときに観察される例証的な結果を例示する。図示されるように、本物の目が提示されると、第２の照明器ＩＬ２．２からの照明下で取得される目の第２の画像は、第１の照明器ＩＬ１．２からの照明下で取得された同じ目の第１の画像における同じ点又は領域と比較すると異なる画像特性又はテクスチャを有する点又は領域を示す。対照的に、偽物の目が提示されると、第２の照明器ＩＬ２．２からの照明下で取得される目の第２の画像は、第１の照明器ＩＬ１．２からの照明下で取得された同じ目の第１の画像と画像特性が実質的に同一である。
【００４３】
したがって、本発明の一実施形態において、（ｉ）非偏光光源からの照明下で取得される第１の画像と偏光光源からの照明下で取得される第２の画像との間の画像特性の差の証拠は、生体認証のために提示された目が本物であると結論するために使用されてもよく、そして（ｉｉ）非偏光光源からの照明下で取得される第１の画像と偏光光源からの照明下で取得される第２の画像との間の画像特性の有意差の欠如の証拠は、生体認証のために提示された目が偽物であると結論するために使用されてもよい。
【００４４】
本発明の一実施形態において、上記第１及び第２の目画像の各々内の目画像間の差を特定する目的での第１及び第２の画像の比較は、撮像された目内の虹彩のほぼ中心に置かれる極座標に基づいて画像データをマッピングし、そして周期成分を又は角度軸線θに沿って３６０度当たり４つの周期を有する（すなわち角度軸線θに沿って９０度の空間的周期性で周期的に起こる）周期的に起こる虹彩パターン又はテクスチャを探索することによって角座標に沿って画像信号を分析することによって、達成されてもよい。異なる偏光下で取得される目の画像間のこの周期成分の大きさ及び／又は位相の差は、本物の目を偽物の目から区別するために使用されてもよい。
【００４５】
図４は、複屈折の検出又は証拠に基づくなりすまし検出のために構成されている撮像装置の第２の実施形態を例示する。例示した実施形態において、撮像装置は、第１の照明器ＩＬ１．４及び第２の照明器ＩＬ２．４を備える。一実施形態において、撮像装置は、（ｉ）第１の照明器ＩＬ１．４と意図される画像取込領域との間の光路に介在される第１の偏光フィルタＰＦ１．４、（ｉｉ）第２の照明器ＩＬ２．４と意図された画像取込領域との間の光路に介在される第２の偏光フィルタＰＦ２．４、（ｉｉｉ）撮像カメラＩＣと意図された画像取込領域との間の光路に介在される第３の偏光フィルタＰＦ３．４を有してもよい。一実施形態において、第１及び第２の偏光フィルタＰＦ１．４及びＰＦ２．４は直線偏光子を備えてもよく、そして第１の偏光フィルタＰＦ１．４の偏光角及び第２の偏光フィルタＰＦ２．４の偏光角は互いに対して９０度の差だけ離されてもよい。一実施形態において、第２の偏光フィルタＰＦ２．４及び第３の偏光フィルタＰＦ３．４は直線偏光子を備え、各々が同一の偏光角を有してもよい。
【００４６】
図４に例示した実施形態において、偏光によってもたらされるアーチファクトのない本物の目の虹彩画像を取り込むために、２つの光源ＩＬ１．４及びＩＬ２．４は同時に点灯されてもよく、そして各々は、その他と実質的に同じ照度の照明下で画像取込領域又は物体を照明するように構成されていてもよい。代替的に、それぞれ照明器ＩＬ１．４及びＩＬ２．４からの照明下で取得される２つの画像は、処理中に（ハードウェア又はソフトウェアで）組み合わされて、偏光により虹彩パターンにもたらされるアーチファクト又は変化から虹彩パターンを分離することができる。
【００４７】
（ｉ）第１の照明器ＩＬ１．４及び第１の偏光フィルタＰＦ１．４が、偏光を発するように構成されている単一の光源に組み合わされてもよい、又は（ｉｉ）第２の照明器ＩＬ２．４及び第２の偏光フィルタＰＦ２．４が、偏光を発するように構成されている単一の光源に組み合わされてもよいと理解されるであろう。同様に、第３の偏光フィルタＰＦ３．４が一定の実施形態において完全に省略されてもよく、或いは、例えば照明効率及び／又はカメラ感度を向上させるために、選択的に介在（若しくは作動）又は除去（若しくは作動停止）されてもよいと理解されるであろう。偏光フィルタＰＦ１．４、ＰＦ２．４及び／又はＰＦ３．４は、機械的、磁気的又は電子的な介在／除去又は作動／作動停止のために構成されていてもよい。
【００４８】
第１及び第２の照明器ＩＬ１．４及びＩＬ２．４が、上記第１及び第２の照明器の各々からの照明が（ｉ）撮像カメラの画像取込領域内の物体への同一の入射角か（ｉｉ）画像取込領域内の物体への異なる入射角かを有するようにも位置決めされてもよいと理解されるであろう。
【００４９】
図４に例示した装置を動作させる際に、本発明は、第１の照明器ＩＬ１．４からの照明下で被写体の目の第１の画像を取得してもよく、その後に第２の照明器ＩＬ２．４からの照明下で被写体の目の第２の画像を取得してもよい。第１及び第２の画像は、その後に複屈折の証拠を求めて分析されてもよい。図３の結果に例示したように、本物の目が提示されると、第２の照明器ＩＬ２．４からの照明下で取得される第２の画像は、第１の照明器ＩＬ１．４からの照明下で取得された第１の画像における同じ点又は領域と比較すると異なる画像特性又はテクスチャを有する点又は領域を示す。対照的に、偽物の目が提示されると、第２の照明器ＩＬ２．４からの照明下で取得される第２の画像は、第１の照明器ＩＬ１．４からの照明下で取得された第１の画像と画像特性が実質的に同一である。
【００５０】
図５は、複屈折の検出又は証拠に基づくなりすまし検出のために構成されている撮像装置の第３の実施形態を例示する。例示した実施形態において、撮像装置は、照明器ＩＬ１．５を備える。装置は、第１の撮像カメラＩＣ１．５及び第２の撮像カメラＩＣ２．５も備える。撮像装置は、（ｉ）照明器ＩＬ１．５と意図される画像取込領域との間の光路に介在される第１の偏光フィルタＰＦ１．５、及び（ｉｉ）第２の撮像カメラＩＣ２．５と意図された画像取込領域との間の光路に介在される第２の偏光フィルタＰＦ２．５を有してもよい。一実施形態において、第１及び第２の偏光フィルタＰＦ１．５及びＰＦ２．５は直線偏光子を備えてもよく、そして第１の偏光フィルタＰＦ１．５の偏光角及び第２の偏光フィルタＰＦ２．５の偏光角は同一でもよい。図５の一実施形態において、第１の撮像カメラＩＣ１．５と意図された画像取込領域との間に介在される偏光フィルタはない。
【００５１】
図５に例示した装置を動作させる際に、第１の撮像カメラＩＣ１．５は、照明器ＩＬ１．５からの照明下で被写体の目の第１の画像を取得してもよく、そして第２の撮像カメラＩＣ２．５は、照明器ＩＬ１．５からの照明下で被写体の目の第２の画像を取得してもよい。第１及び第２の画像は、その後に複屈折の証拠を求めて分析されてもよい。本物の目が提示されると、第２の撮像カメラＩＣ２．５で取得される目の第２の画像は、第１の撮像カメラＩＣ１．５によって取得された同じ目の第１の画像における同じ点又は領域と比較すると異なる画像特性又はテクスチャを有する点又は領域を示す。対照的に、偽物の目が提示されると、第２の撮像カメラＩＣ２．５で取得される目の第２の画像は、第１の撮像カメラＩＣ１．５によって取得された同じ目の第１の画像と画像特性が実質的に同一である。
【００５２】
図５の機能性は、図６に例示されるように、２つの別々の画像カメラＩＣ１．５及びＩＣ２．５を単一の画像カメラＩＣ１．６で置き換えることによっても達成されてもよい。図６は、照明器ＩＬ１．６と画像取込領域との間に第１の偏光フィルタＰＦ１．６が介在される照明器ＩＬ１．６を例示する。画像カメラＩＣ１．６は、第１の領域Ｒ１及び第２の領域Ｒ２を有するイメージセンサＩＳを備える。イメージセンサＩＳの第１の領域Ｒ１は、イメージセンサ自体と画像取込領域との間に光学アセンブリＯＡ１．６が介在される。イメージセンサＩＳの第２の領域Ｒ２は、イメージセンサと画像取込領域との間に光学アセンブリＯＡ２．６及び偏光フィルタＰＦ２．６が介在される。イメージセンサＩＳの第１及び第２の領域Ｒ１又はＲ２からの情報を選択的に解析することによって、図６の装置は、図５に図示した第１及び第２の撮像カメラＩＣ１．５及びＩＣ２．５と同様に複屈折を検出することが可能である第１及び第２の画像を生成することが可能である。
【００５３】
図２、４、５及び６の配置（複数の照明器又は複数の撮像装置／光学アセンブリに基づく）は、単一の照明器ＩＬ１．７及び単一の撮像カメラＩＣ１．７を備え、偏光子ＳＰＦ１．７及びＳＰＦ２．７のうちの少なくとも一方が選択的に作動可能（又は介在可能）である図７の配置で置き換えられてもよいと理解されるであろう。選択的に作動可能又は介在可能な偏光フィルタのうちの少なくとも一方が作動／光路に介在されている間に、被写体の目の第１の画像が取得されてもよい一方で、選択的に作動可能な偏光フィルタのうちの少なくとも一方が作動停止又は光路から除去されている間に、被写体の目の第２の画像が取得されてもよい。別の実施形態において、作動又は作動停止させる代わりに、偏光フィルタのうちの一方が、例えば、偏光面を回転させる（例えば液晶を使用して）要素を導入又は作動させることによって、偏光方向を変えるように再構成されていることができる。第１及び第２の画像は、その後に複屈折の証拠を求めて分析されてもよい。本物の目が提示されると、目の第２の画像は、そのような目の第１の画像における同じ点又は領域と比較すると異なる画像特性又はテクスチャを有する点又は領域を示す。対照的に、偽物の目が提示されると、目の第２の画像は、そのような目の第１の画像と画像特性が実質的に同一である。偏光フィルタＳＰＦ１．７及び／又はＳＰＦ２．７は、機械的、電子的又は磁気的な介在／除去／作動／作動停止／偏光角の変化のために構成されていてもよい。
【００５４】
上記した実施形態の各々において、撮像カメラが（ｉ）光偏光に依存した選択性を有する画素の少なくとも１つの集合及び（ｉｉ）選択性が光偏光から独立した又は第１の画素の集合と比較すると光偏光に対する異なる選択性を有する画素の少なくとも１つの集合を有するイメージセンサを有する場合、画像取込領域とその撮像カメラとの間に介在される偏光フィルタが完全に除去されてもよいことも理解されるであろう。偏光感応画素を解析すること又は読み込むことに基づいて画像を生成することによって、イメージセンサは、イメージセンサ自体と画像取込領域との間に偏光フィルタが介在される撮像装置として機能する。偏光非感応画素を解析すること又は読み込むことに基づいて画像を生成することによって、イメージセンサは、イメージセンサ自体と画像取込領域との間に偏光フィルタが介在されない撮像装置として機能する。
【００５５】
本発明の一実施形態において、（ａ）偏光光源による照明の又は（ｂ）撮像カメラ内の偏光感応画素の選択的作動による（又は両方の）結果として目画像又は虹彩画像にもたらされて検出されるアーチファクトに対応する画像情報が、被写体の生体テンプレートに対応するテンプレート情報に付加されてもよく、そして被写体の身元の将来の生体検査で生体認証判定のための基準として使用されてもよい。
【００５６】
同様に、撮像カメラ内のイメージセンサが、第１の偏光角の光に感応する画素の第１の集合及び第２の偏光角の光に感応する画素の第２の集合を有してもよい。第１の画素の集合を解析すること又は読み込むことに基づいて画像を生成することによって、イメージセンサは、イメージセンサ自体と画像取込領域との間に第１の種類の偏光フィルタが介在される撮像装置として機能する。第２の画素の集合を解析すること又は読み込むことに基づいて画像を生成することによって、イメージセンサは、イメージセンサ自体と画像取込領域との間に第２の種類の偏光フィルタが介在される撮像装置として機能する。
【００５７】
図８は、本発明の方法実施形態を例示する。ステップ８０２は、目の少なくとも１つの目画像を取得することを含む（同画像は目の全体か一部かを含んでいることができる）。一実施形態において、目の少なくとも１つの画像を取得する際に、撮像される目は、画像取得の目的で偏光によって照明される。本発明の実施形態において、少なくとも１つの画像が上記した装置のうちのいずれか１つ又は複数を通して取得されてもよいと理解されるであろう。
【００５８】
ステップ８０４は、撮像された目（又は上記撮像された目の一部）が複屈折を示している（すなわち複屈折性を有している）かどうかを判定することを含み、同判定は一実施形態において、上記目の少なくとも１つの画像の画像分析に基づく。本発明の一実施形態において、ステップ８０４の複屈折に関する画像分析ベースの判定は、照明器によって生成される照明光線の異なる照明偏光及び／又は異なる入射角から生じる上記目の画像の画像特性間の差に基づいて実施されてもよい。一実施形態において、ステップ８０４の複屈折に関する画像分析を基にした判定は、図２、４、５、６又は７に関連して上記した方法、ステップ又は装置のうちのいずれか１つ又は複数を伴ってもよい。
【００５９】
ステップ８０６は、ステップ８０４での複屈折判定に応答することを含む。本発明の一実施形態において、撮像された目が本物の目に特徴的な複屈折を示しているという判定（撮像された目が本物の目であり、なりすまし又は偽物でないという結論を有効にする）に応答して、本発明は、撮像された目が本物であるという判定に適した任意の応答を選択又は開始するように構成されていてもよい。例えば、本発明は、撮像された目を被写体の身元の証明として扱う（したがって、認証要求を許可する）ことによって、或いは代替的に撮像された目を実際のユーザ／被写体の存在の証拠として扱い、その後にそのようなユーザ／被写体に対応する生体情報を使用して、上記ユーザに対応する生体テンプレートを登録する、又は身元の証拠としての撮像された目の存在に基づいて認証要求若しくは認証の試みを許可すべきかどうかを決定する目的で、そのようなユーザ／被写体に対応する生体情報を、あらかじめ登録された生体テンプレートに対する比較のために使用するように、応答してもよい。
【００６０】
図８に例示した実施形態において、ステップ８０６は、既定の動作を選択又は開始することによって、撮像された目が非複屈折であるという（或いは撮像された目が（ａ）わずかな若しくは不十分な複屈折性又は（ｂ）本物の目に特徴的でない複屈折性又は（ｃ）識別若しくは認証されている特定の個人の目に特徴的でない複屈折性を示しているという）判定に応答することを含む。一実施形態において、既定の動作は、（ｉ）撮像された目が生きていない、若しくはなりすまし若しくは偽物であると判定すること、（ｉｉ）撮像された目に基づく生体認証要求若しくは認証の試みを拒否若しくは拒絶すること、（ｉｉｉ）生体登録を拒否すること、（ｉｖ）リソース（移動通信装置、自動車などを限定することなく含む）へのアクセスを拒否すること、（ｖ）リソース（例えば移動通信装置、自動車若しくは任意のハードウェア部品若しくはソフトウェアモジュール）のロック解除の要求を拒否すること、又は（ｖｉ）なりすましを特定する情報を送信若しくは記録することのうちのいずれか１つ又は複数を含んでもよい。具体的な実施形態において、既定の動作は、移動通信装置若しくは自動車、又は任意のハードウェア部品若しくはソフトウェアモジュールへのアクセスを拒否することを含む。
【００６１】
別の実施形態において、ステップ８０６は、システム応答を選択することを含み、上記選択は、（ｉ）目の少なくとも一部が既定の複屈折特性の集合と一致しない複屈折特性を示しているかどうか又は（ｉｉ）目の少なくとも一部が本物の目に特有の複屈折特性の欠如を示しているかどうかに依存している。
【００６２】
本発明の一実施形態において、（ａ）偏光光源による照明又は（ｂ）撮像カメラ内の偏光感応画素の選択的作動（又は両方）の結果として目画像又は虹彩画像にもたらされて検出されるアーチファクトに対応する画像情報が、被写体の生体テンプレートに対応するテンプレート情報に付加されてもよく、そして被写体の身元の将来の生体検査で生体認証判定のための基準として使用されてもよい。図９Ａ〜９Ｃは、被写体の生体テンプレートへの、目組織の複屈折性の結果として目画像又は虹彩画像にもたらされて検出されるアーチファクトに対応する画像情報の付加を可能にし、且つ同情報がその後の生体認証のための基準として使用されることができる、本発明に従う方法を例示する。
【００６３】
ステップ９０２は、イメージセンサで第１の目の第１の画像を取得することを含む。１つの実施形態において、上記画像取得は、（ｉ）画像取得の目的の非偏光による上記第１の目の照明又は（ｉｉ）上記第１の画像の取得が入射光の偏光特性に対する第１の選択性を有するイメージセンサ画素によって達成されることのうちの少なくとも一方を条件とする。一実施形態において、上記イメージセンサ画素は、入射光の偏光に非感応でも、又はわずかに感応してもよい。
【００６４】
ステップ９０４は、第１の目の第２の画像を取得することを含む。一実施形態において、上記画像取得は、（ｉ）画像取得の目的の偏光による第１の目の照明及び（ｉｉ）上記第２の画像の取得が入射光の偏光特性に対する第２の選択性を有するイメージセンサ画素によって達成され、第２の選択性が第１の選択性より高いことのうちの両方を条件とする。一実施形態において、上記イメージセンサ画素は、入射光の偏光特性に十分に感応して、入射光の偏光によってもたらされるアーチファクトを含んでいる目画像の取込みを可能にしてもよい。
【００６５】
ステップ９０６は、目の少なくとも一部に対応する第１の画像情報の集合（ＴＮ）を取得又は生成することを含み、第１の画像情報の集合は、本物の角膜での複屈折から生じるアーチファクトに対応する画像情報を除外している。一実施形態において、第１の画像情報の集合は、第１の画像から抽出される情報に基づいて生成される。ステップ９０８は、目の少なくとも一部に対応する第２の画像情報の集合（ＴＰ）を取得又は生成することを含み、第２の画像情報の集合は、本物の角膜での複屈折から生じるアーチファクトに対応する画像情報を含んでいる。一実施形態において、第２の画像情報の集合は、第２の画像から抽出される情報に基づいて生成される。ステップ９１０は、第１及び第２の生体情報の集合／第１及び第２の生体テンプレート（ＴＮ、ＴＰ）を生体テンプレートリポジトリに記憶すること、及び／又は第１及び第２の画像情報の集合を第１の目が対応する被写体と関連付けることをその後に含む。
【００６６】
本発明の一実施形態において、第１の画像情報の集合（ＴＮ）及び第２の画像情報の集合（ＴＰ）は、同じ画像から導出されてもよい。具体的な実施形態において、第１の画像情報の集合（ＴＮ）及び第２の画像情報の集合（ＴＰ）は、画像処理によって同じ画像から導出される。
【００６７】
ステップ９１２は、生体認証のために提示される目（又は目の一部）（すなわち「候補目」）に対応する第３の画像を取得することを含む。一実施形態において、第３の画像は、（ｉ）画像取得の目的の非偏光による候補目の照明及び（ｉｉ）上記第３の画像の取得が入射光の偏光特性に対する第３の選択性を有するイメージセンサ画素によって達成されることのうちの少なくとも一方を条件として、取得又は生成される。一実施形態において、上記イメージセンサ画素は、入射光の偏光特性に非感応でも、又はわずかに感応してもよい。
【００６８】
ステップ９１４は、候補目に対応する第４の画像を取得することを含む。一実施形態において、上記第４の画像は、（ｉ）画像取得の目的の偏光による候補目の照明及び（ｉｉ）上記第４の画像の取得が入射光の偏光に対する第４の選択性を有するイメージセンサ画素によって達成され、第４の選択性が第３の選択性より高いことのうちの両方を条件として、取得又は生成される。一実施形態において、上記イメージセンサ画素は、入射光の偏光特性に十分に感応して、入射光の偏光によってもたらされるアーチファクトを含んでいる目画像の取込みを可能にしてもよい。
【００６９】
ステップ９１６は、目の少なくとも一部に対応する第３の画像情報の集合（ＦＮ）を取得又は生成することを含み、第３の画像情報の集合は、本物の角膜での複屈折から生じるアーチファクトに対応する画像情報を除外している。一実施形態において、第３の画像情報の集合は、第３の画像から抽出される。ステップ９１８は、目の少なくとも一部に対応する第４の画像情報の集合（ＦＰ）を生成又は取得することを含み、第４の画像情報の集合は、本物の角膜での複屈折から生じるアーチファクトに対応する画像情報を含んでいる。一実施形態において、第４の画像情報の集合は、第４の画像から抽出されてもよい。
【００７０】
ステップ９２０は、以下の対、（ｉ）第１の画像情報の集合（ＴＮ）及び第３の画像情報の集合（ＦＮ）を含む第１の対（ＴＮ、ＦＮ）、（ｉｉ）第１の画像情報の集合（ＴＮ）及び第４の画像情報の集合（ＦＰ）を含む第２の対（ＴＮ、ＦＰ）、（ｉｉｉ）第２の画像情報の集合（ＴＰ）及び第３の画像情報の集合（ＦＮ）を含む第３の対（ＴＰ、ＦＮ）、（ｉｖ）第２の画像情報の集合（ＴＰ）及び第４の画像情報の集合（ＦＰ）を含む第４の対（ＴＰ、ＦＰ）、（ｖ）第１の画像情報の集合（ＴＮ）及び第２の画像情報の集合（ＴＰ）を含む第５の対（ＴＮ、ＴＰ）、並びに（ｖｉ）第３の画像情報の集合（ＦＮ）及び第４の画像情報の集合（ＦＰ）を含む第６の対（ＦＮ、ＦＰ）のうちの少なくとも２つを比較する、又は少なくとも２つに対応する対内類似性を採点することを含む。
【００７１】
ステップ９２２は、（ｉ）候補目が生きているか生きていないかを判定する、又は（ｉｉ）候補目と生体テンプレートＴＮ及び／又はＴＰとの間の肯定的な身元一致判定（すなわち一致判定）を生成する、又は（ｉｉｉ）候補目と生体テンプレートＴＮ及び／又はＴＰとの間の否定的な身元一致判定（すなわち非一致判定）を生成する、又は（ｉｖ）候補目に基づく認証要求又は認証の試みを拒否又は拒絶するために、ステップ９２０で生成された比較又は類似性スコアを使用することを含む。
【００７２】
方法の好適な実施形態において、ステップ９２０は、
【００７３】
第１の対（ＴＮ、ＦＮ）に対応する対内類似性を表す類似性スコア（Ａ）を求めることと、
【００７４】
第３の対（ＴＰ、ＦＮ）に対応する対内類似性を表す類似性スコア（Ｂ）を求めることと、
【００７５】
第２の対（ＴＮ、ＦＰ）に対応する対内類似性を表す類似性スコア（Ｃ）を求めることとを含む。
【００７６】
方法の好適な実施形態において、ステップ９２２は、
【００７７】
類似性スコア（Ｃ）が所定の閾値スコアを上回っている場合、候補目が生きていない（すなわち、なりすまし又は偽物）と判定することと、
【００７８】
以下、（ｉ）ＡがＴより大きい（すなわちＡ＞Ｔ）並びに（ｉｉ）Ｃ及びＤの和がＡ及びＢの小さい方より小さい（すなわち（Ｃ＋Ｄ）＜（Ａ、Ｂ）の最小値）、式中Ｔ及びＤがそれぞれ既定の閾値であり、非負値であることが好ましい（すなわち（ｉ）Ｄ≧０、及び／又は（ｉｉ）Ｔ≧０）、のうちの少なくとも一方（両方が好ましい）が満たされる場合、候補目と生体テンプレートとの間の肯定的な身元一致判定を生成することと、
【００７９】
以下、（ｉ）ＡがＴより大きい（すなわちＡ＞Ｔ）並びに（ｉｉ）Ｃ及びＤの和がＡ及びＢの小さい方より小さい（すなわち（Ｃ＋Ｄ）＜（Ａ、Ｂ）の最小値）、式中Ｔ及びＤがそれぞれ既定の閾値であり、非負値であることが好ましい（すなわち（ｉ）Ｄ≧０、及び／又は（ｉｉ）Ｔ≧０）、のうちの少なくとも一方（両方が好ましい）が満たされない場合、候補目と生体テンプレートとの間の否定的な身元一致判定を生成する、又は候補目に基づく認証要求若しくは認証の試みを拒否若しくは拒絶することとのうちの１つ又は複数を追加的に含む。
【００８０】
本発明の様々な実施形態において、非偏光（例えば、第１及び第３の画像を取得するために使用される非偏光）は、２０％より小さい偏光度を有する光を意味するものとする。
【００８１】
付加的に、入射光の偏光特性に対する「選択性」という用語を解釈する目的で、直線偏光子の場合、選択性は、一定の強度の１００％偏光度を持つ直線偏光ビームの偏光面をゆっくり回転させることから生じる変調の深さとして定義されることができると理解されるであろう。この定義は、円偏光子及び楕円偏光子に対しても適切に一般化又は拡大されてもよい。
【００８２】
本発明の一実施形態において、入射光の偏光特性に対する第１の選択性及び第３の選択性（図９のステップ９０２及び９１２を参照のこと）のうちの一方又は両方が２０％より小さくてもよい。
【００８３】
上記した装置及び方法に加えて、本発明は、本発明の方法を実装するために構成されているコンピュータプログラム製品を付加的に提供する。本発明に従うコンピュータプログラム製品は、一時的又は非一時的コンピュータ可読媒体に記憶されるコンピュータ可読命令を含んでいてもよく、そして本発明の教示に従う１つ又は複数の方法を実装するための命令を含んでいてもよい。
【００８４】
図１０は、本発明を実装するための例証的なコンピューティングシステムを例示する。
【００８５】
コンピューティングシステム１００２は、１つ又は複数のプロセッサ１００４及び少なくとも１つのメモリ１００６を備える。プロセッサ１００４は、プログラム命令を実行するように構成されおり、そして現実のプロセッサ又は仮想プロセッサでもよい。コンピュータシステム１００２が記載した実施形態の使用又は機能性の範囲に関していかなる限定も暗示しないと理解されるであろう。コンピュータシステム１００２は、汎用コンピュータ、プログラム式マイクロプロセッサ、マイクロコントローラ、集積回路、及び本発明の方法を構成するステップを実装することが可能である他方の装置又は装置の配置のうちの１つ又は複数を含んでもよいが、これらに限定されない。本発明に従うシステム１００２の例証的な実施形態は、１つ又は複数のサーバ、デスクトップ、ラップトップ、タブレット、スマートフォン、移動電話、移動通信装置、タブレット、ファブレット及び携帯情報端末を含んでもよい。本発明の一実施形態において、メモリ１００６は、本発明の様々な実施形態を実装するためのソフトウェアを記憶してもよい。コンピュータシステム１００２は、付加部品を有してもよい。例えば、コンピュータシステム１００２は、１つ又は複数の通信チャネル１００８、１つ又は複数の入力装置１０１０、１つ又は複数の出力装置１０１２及びストレージ１０１４を含んでいてもよい。バス、コントローラ又はネットワークなどの相互接続機構（図示せず）がコンピュータシステム１００２の部品を相互接続する。本発明の様々な実施形態において、オペレーティングシステムソフトウェア（図示せず）が、プロセッサ１００４を使用してコンピュータシステム１００２で実行する様々なソフトウェアに動作環境を提供し、且つコンピュータシステム１００２の部品の異なる機能性を管理する。
【００８６】
通信チャネル（複数可）１００８は、様々な他のコンピューティングエンティティへの通信媒体を通じた通信を許可する。通信媒体は、プログラム命令などの情報、又は他のデータを通信媒体で提供する。通信媒体は、電気、光学、ＲＦ、赤外線、音響、マイクロ波、ブルートゥース（登録商標）又は他の伝送媒体で実装される有線若しくは無線方法を含むが、これらに限定されない。
【００８７】
入力装置（複数可）１０１０は、タッチスクリーン、キーボード、マウス、ペン、ジョイスティック、トラックボール、音声装置、スキャニング装置、又はコンピュータシステム１００２に入力を提供することが可能である任意の別の装置を含んでもよいが、これらに限定されない。本発明の一実施形態において、入力装置（複数可）１０１０は、アナログ又はデジタル形式の音声入力を受け入れるサウンドカード又は同様の装置でもよい。出力装置（複数可）１０１２は、ＣＲＴ、ＬＣＤ、ＬＥＤディスプレイ、若しくはサーバ、デスクトップ、ラップトップ、タブレット、スマートフォン、移動電話、移動通信装置、タブレット、ファブレット及び携帯情報端末のうちのいずれかと関連した任意の他のディスプレイ上のユーザインタフェース、プリンタ、スピーカ、ＣＤ／ＤＶＤライタ、又はコンピュータシステム１００２から出力を提供させる任意の他の装置を含んでもよいが、これらに限定されない。
【００８８】
ストレージ１０１４は、磁気ディスク、磁気テープ、ＣＤ−ＲＯＭ、ＣＤ−ＲＷ、ＤＶＤ、任意の種類のコンピュータメモリ、磁気ストライプ、スマートカード、印刷バーコード、又は情報を記憶するために使用されることができ且つコンピュータシステム１００２によってアクセスされることができる任意の他の一時的若しくは非一時的媒体を含んでもよいが、これらに限定されない。本発明の様々な実施形態において、ストレージ１０１４は、記載した実施形態のうちのいずれかを実装するためのプログラム命令を含んでいてもよい。
【００８９】
本発明の一実施形態において、コンピュータシステム１００２は、分散ネットワークの一部又は利用可能なクラウドリソースの集合の一部である。
【００９０】
本発明は、例えばシステム、方法、又はコンピュータ可読記憶媒体などのコンピュータプログラム製品、若しくはプログラミング命令が遠隔地から通信されるコンピュータネットワークを含む多数の手段で実装されてもよい。
【００９１】
本発明は、コンピュータシステム１００２で使用するためのコンピュータプログラム製品として適切に具象化されてもよい。本明細書に記載した方法は、コンピュータシステム１００２又は任意の他の同様の装置によって実行されるプログラム命令の集合を含むコンピュータプログラム製品として典型的に実装される。プログラム命令の集合は、コンピュータ可読記憶媒体（ストレージ１０１４）などの有形媒体、例えば、ディスケット、ＣＤ−ＲＯＭ、ＲＯＭ、フラッシュドライブ若しくはハードディスクに記憶されるか、又は、光学若しくはアナログ通信チャネル（複数可）１００８を含むがこれらに限定されない有形媒体を通じて、モデム若しくは他のインタフェース装置を介して、コンピュータシステム１００２に伝送可能である、一連のコンピュータ可読コードでもよい。コンピュータプログラム製品としての本発明の実装は、マイクロ波、赤外線、ブルートゥース又は他の伝送技術を含むがこれらに限定されない無線技術を使用して無形形式であってもよい。これらの命令は、システムにあらかじめロードされる、又はＣＤ−ＲＯＭなどの記憶媒体に記録される、又はインターネット若しくは移動電話網などのネットワークを通じてダウンロードして利用可能にされることができる。一連のコンピュータ可読命令は、本明細書にあらかじめ記載した機能性の全て又は一部を具象化してもよい。
【００９２】
本発明のシステム、方法及びコンピュータプログラムが任意の数の手段で実装されることができると理解されるであろう。後述する方法、装置及びコンピュータプログラムは、単に例証的であるにすぎず、限定的であるとして理解されるものとは意図されない。
【図１Ａ】
2019505869.tif 000003
【図１Ｂ】
2019505869.tif 000004
【図２】
2019505869.tif 000005
【図３】
2019505869.tif 000006
【図４】
2019505869.tif 000007
【図５】
2019505869.tif 000008
【図６】
2019505869.tif 000009
【図７】
2019505869.tif 000010
【図８】
2019505869.tif 000011
【図９Ａ】
2019505869.tif 000012
【図９Ｂ】
2019505869.tif 000013
【図９Ｃ】
2019505869.tif 000014
【図１０】
2019505869.tif 000015
【国際調査報告】
2019505869.tif 000016
2019505869.tif 000017
2019505869.tif 000018